【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
槽（3）と、
前記槽（3）の上部開口部に張設し使用者を乗せる柔軟な膜（5）と、
前記膜（5）を張設した前記槽（3）の内部に移動可能に設け使用者をマッサージする施療子と、
前記槽（3）の内部における前記施療子の位置を制御する制御部と、
を有し、
前記使用者のマッサージをしたい所望部位の位置情報を入力して、前記所望部位をマッサージするように前記施療子の位置を前記制御部で制御するベッド型マッサージ機において、
槽（3）のフレーム（4）又は膜（5）の長手方向と短手方向の一方及び両方に目盛り（2）を設け、マッサージをしたい所望部位又は範囲の目盛りを前記目盛り（2）で読み取って前記位置情報として前記制御部に入力するか、
又は、槽（3）のフレーム（4）又は膜（5）長手方向と短手方向の一方及び両方に、前記目盛り（2）の代わりにタッチセンサ又はキースイッチを配列し、マッサージをしたい所望部位を、前記所望部位に対応する位置の前記タッチセンサ又はキースイッチを操作してその出力を前記位置情報として前記制御部に取り込む
ようにしたことを特徴とする、ベッド型マッサージ機。
【請求項２】
ベッド型マッサージ機は、
液体を満たした槽（3）と、
前記槽（3）の上部開口部に張設し使用者を乗せる柔軟な膜（5）と、
前記膜（5）を張設した前記槽（3）の内部に前記槽（3）内の液体を圧送するポンプと、
前記槽（3）の底部に移動可能に能設け、前記ポンプから送られる液体を前記膜（5）に向けて噴出するノズルと、
前記ノズルの位置を制御する制御部
を有する液圧マッサージ機であることを特徴とする、請求項1記載のベッド型マッサージ機。
【請求項３】
前記槽（3）の頭側に、腕を載せて肩関節をゼロポジションにする腕支持部（1）を設けたことを特徴とする、請求項1又は2記載のベッド型マッサージ機。
【手続補正２】
【補正対象書類名】明細書
【補正対象項目名】全文
【補正方法】変更
【補正の内容】
【発明の詳細な説明】
【発明の名称】ベッド型マッサージ機
【技術分野】
【０００１】
本発明は、所望の部位を正確にマッサージすることにより、また、肩関節周囲の筋肉を全てリラックスできる姿位にしてマッサージすることにより、マッサージ効果を高くするマッサージ機に関するものである。
【背景技術】
【０００２】
マッサージ機は、物理的な力を人体に作用させ、筋肉の凝りをほぐし、血流を改善し、痛みをとるのに用いられる。
マッサージ機には、図4に示すような液圧マッサージ機や、図5に示すような機械式マッサージ機などがある。
図4の液圧マッサージ機は、槽23に柔軟な膜22を張設し、槽に液体を満たし、槽内の液体をポンプ25で循環させ、パイプ24を介してノズル21から膜22に向けて噴流を発生させ、噴流の液圧でマッサージをおこなうものである。図には記載していないが、装置には制御部が設けられており、ノズルの位置（身長方向及び体幅方向）や噴流の強さなどを制御し、マッサージをおこなう（例えば特許文献1）。
【０００３】
図5の機械式マッサージ機は、マッサージ機構63を身長方向に移動させながら、ローラー64で人体に押圧を与え、マッサージをおこなう（例えば特許文献2）。
以下に、図により従来の技術を説明する。
【特許文献１】特開平８−２５２２９３
【特許文献２】特開２００１−２２４６４６
【０００４】
図4は特許文献1に記載された液圧マッサージ機を判りやすく単純な図に書き換えたもので、ノズル21を身長方向と体幅方向に移動させ、ポンプ25でノズル21から膜22に向けて液体を噴出し、全身を、又は所望の部分を、液圧でマッサージする。
図5は、マッサージ機構部63を身長方向に移動させながら、ローラー64で人体に押圧を与え、マッサージをおこなうものである。
施療子は人体にマッサージを与えるものであり、液圧マッサージ機ではノズル21が、機械式マッサージ機ではローラー64が、それぞれ相当する。
【発明の開示】
【発明が解決しようとする課題】
【０００５】
図4のような液圧マッサージ機では、図6（Ａ）のように、頭を膜の端部に置き、仰臥位になり、身長を入力して、マッサージをおこなう。人が正しい位置に乗っていると、図6（Ａ）のように、入力した身長データから、マッサージしたい部位ｍ（この図の場合は頭部を除く全身）が決定され、ノズルは、首筋のあたりのＰの位置から、足先まで、Ｍの範囲を移動し、全身をマッサージすることができる。このとき、実際にノズルが移動する範囲Ｍとマッサージをおこないたい範囲ｍは一致する。
【０００６】
しかし、マッサージを受ける人の位置が、膜上でずれると、マッサージできない部分ができたり、マッサージしたくない部分をマッサージすることも有る。
【０００７】
図6（Ｂ）は所定の位置からｄ1だけ下方にずれてマッサージ機に乗ったときの図である。図のＰとＥは、施療子の最大可動域の端部で、Ｄはその可動範囲である。
この状態で身長を入力すると、図6（Ａ）と同様、ノズルはＰからＭの範囲を移動しマッサージする。しかし人はｄ1だけ下方にずれて乗っているので、本来ならマッサージをしたくない頭部からＰまでのｄ1の範囲もノズルは移動し、マッサージをおこなう。このため、不快感が生じたり、エネルギー及び時間の両面から無駄となる。
一方、下肢では、領域Ｍから外れたｄ2の部分はノズルが移動しないため、マッサージしない。この部分はマッサージをおこないたいが、マッサージしないため、効果が得られないことになる。
【０００８】
このように、従来のベッド型マッサージ装置では、所定の位置に正確に乗らないといけないという拘束があり、乗る位置を正しくするようにベッド上で移動しなければならず、その調節に手間がかかる。乗る位置がずれると、マッサージしたい部分を正確にマッサージすることができないし、マッサージをしたく無い部分をマッサージして不快感が生じることも有る。このようなことはマッサージ効果の低下につながる。
【０００９】
一方、人は、立位で生活しているため、首筋から肩、背部にかけての凝りや痛みなどは多い。このような症状を見ると、肩関節周囲の筋群の一部に負担がかかり、障害が発生していることが多い。このような症状をそのままにしてマッサージしても、多少は効果が得られるが、その効果には限界が有る。
【００１０】
このような症状をより効果的に治療するために、一部の筋肉への負担をなくし、肩関節周囲の全ての筋群がリラックスした状態にして治療する方法が有る。肩関節周囲の全ての筋群がリラックスする状態をゼロポジションといい、臨床医学ではすでに応用されている。
ゼロポジションは、腕を水平にし、体側から前方に30〜45度前方に内旋し、この状態でさらに60度（垂直位から約150度）挙上した関節の状態を言う。ゼロポジションは肩関節の修復等に広く使用されている。
【課題を解決するための手段】
【００１１】
この課題を解決するために、請求項1記載の発明では、
槽（3）と、
前記槽（3）の上部開口部に張設し使用者を乗せる柔軟な膜（5）と、
前記膜（5）を張設した前記槽（3）の内部に移動可能に設け使用者をマッサージする施療子と、
前記槽（3）の内部における前記施療子の位置を制御する制御部と、
を有し、
前記使用者のマッサージをしたい所望部位の前記膜（5）上の位置情報を入力して、前記所望部位をマッサージするように前記施療子の位置を前記制御部で制御するベッド型マッサージ機において、
槽（3）のフレーム（4）又は膜（5）長手方向と短手方向の一方及び両方に目盛り（2）を設け、マッサージをおこないたい所望部位を前記目盛り（2）で読み取って前記位置情報として前記制御部に入力するか、
又は、槽（3）のフレーム（4）又は膜（5）長手方向と短手方向の一方及び両方に、前記目盛り（2）の代わりにタッチセンサ又はキースイッチを配列し、マッサージをしたい所望部位を、前記所望部位に対応する位置の前記タッチセンサ又はキースイッチを操作してその出力を前記位置情報として前記制御部に入力する、
ようにした。
つまり、マッサージをおこないたい所望部位の位置情報を入力し、所望する部位をマッサージするようにした。
【００１２】
請求項２記載の発明では、ベッド型マッサージ機は、
液体を満たした槽（3）と、
前記槽（3）の上部開口部に張設し使用者を乗せる柔軟な膜（5）と、
前記槽（3）内の液体を圧送するポンプと、
前記槽（3）の底部に能設け、前記ポンプから送られる液体を前記膜（5）に向けて噴出するノズルと、
前記ノズルの位置を制御する制御部
を有する液圧マッサージ機とした。
【００１３】
請求項３記載の発明では、請求項1又は2記載のベッド型マッサージ機に、
前記槽（3）の頭側に、腕を載せて肩関節をゼロポジションにする腕支持部（1）を設けた。
マッサージを受ける姿勢で腕を腕支持部（1）に載せると、肩関節周囲の筋肉をリラックスさせてマッサージをおこなうことができるようにした。
【発明の効果】
【００１４】
請求項1記載の発明により、マッサージをおこないたい部位を目盛り2で読み取ってその部位をマッサージするように施療子の位置を制御することができる。または、マッサージをおこないたい部位をタッチセンサ又はキースイッチで指定しその部位をマッサージするように施療子の位置を制御することができる。
このため、任意の位置にマッサージ機に乗っても、マッサージしたい部位を正確にマッサージすることができる。
【００１５】
請求項2記載の発明により、液圧マッサージ機において、任意の位置にマッサージ機に乗っても、マッサージしたい部位を正確にマッサージすることができる。
【００１６】
請求項3記載の発明により、肩関節周囲筋を適切な状態にしてマッサージをおこなうので、より効果の高い治療をおこなうことができる。
【発明を実施するための最良の形態】
【００１７】
以下、実施例について説明する。
【実施例１】
【００１８】
請求項1記載の発明の実施例を図1に示す。図1（Ａ）はベッド型マッサージ機の側面図、（Ｂ）は平面図である。ベッドのフレーム4には、請求項1記載の発明により目盛り2を付けている。目盛り2’は身長方向のベッド上の位置を表すもので、この例では、フレーム4の上面の両側に目盛りをつけている。しかし、片側でもよいし、フレームの側方につけてもよいし、膜5につけてもよい。
目盛り2’’は、ベッド上の幅方向の位置を指定するのに用いる。
【００１９】
図2（Ａ）のＰは、頭部の位置を決定するために用いる位置であり、施療子の可動範囲の端部である。
マッサージを受ける人は、図2（Ａ）のように、Ｐと首筋が一致するようにして、仰臥位になると、頭部はマッサージしないで、首筋から下をマッサージすることができる。
この状態で、踵の位置を、ベッドのフレームに付けた目盛りで読み取って、その数値Ｑを、図には記載していないが、装置の制御部に入力すると、身長Ｈに対して、マッサージ領域Ｍが決定される。治療を開始すると、ＰからＱまでの範囲Ｍで施療子が移動し、この間のマッサージをおこなう。
Ｄは施療子の全可動範囲である。
【００２０】
図２（Ａ）は全身をマッサージする場合の本発明の装置の使用法を示すが、本発明は、体の一部をマッサージする場合にも適用できる。図2（Ｂ）は体の一部をマッサージする場合の設定法を示す。
施療子はＰからベッドの下端までの範囲Ｄの間で移動でき、この間に目盛りを設けている。例えば腰部のみをマッサージしたい場合は、マッサージしたい領域の両端の目盛りＰ’とＱ’を読み取ってこの数値を制御部に入力する。この数値が入力されると、制御部で施療子の移動範囲を決定し、その間で施療子を作動させ、領域Ｍ内でマッサージをおこなう。
これを利用すると、施療子の可動端部Ｐや可動範囲Ｄに関係なく、どの位置に乗っても、マッサージしたい部分を指定して施療子を制御し、所望の部位を正しくマッサージすることができる。
【００２１】
フレームの幅方向の目盛り2’’は、ベッドの幅方向に偏って乗ったり、体の幅方向の一部のみをマッサージしたいときに利用する。
目盛り2’’の数値を指定すると、施療子の、幅方向の可動域内で、指定された位置よりも右側だけを、又は左側だけを、マッサージするように、施療子の位置を制御する。
フレーム4又は膜5の、目盛り2の代わりに目盛り2の位置にタッチセンサ又はキースイッチを配列すると、マッサージをしたい部位を、タッチセンサ又はキースイッチで指定し、その位置情報を制御部に送ると、マッサージしたい部分を指定して施療子を制御し、所望の部位を正しくマッサージすることができる。
【００２２】
請求項2記載の発明は、ベッド型マッサージ機が液圧マッサージ機である場合である。施療子は液体を噴出するノズルであり、マッサージをおこないたい領域をフレーム4に設けた目盛り2で指定し、制御部でこのノズルの位置を制御し、マッサージをおこないたい領域をマッサージするようにしている。
請求項2記載の発明により、液圧マッサージ機において、ノズルの可動端部Ｐや可動範囲Ｄに関係なく、どの位置に乗っても、マッサージしたい部分を指定してノズルの位置を制御し、所望の部位を正しくマッサージすることができる。
【００２３】
請求項3記載の発明は、ベッド型マッサージ機に腕支持部1を設け、マッサージを受ける姿勢で腕を腕支持部1に載せると、肩関節周囲の筋肉をリラックスさせてマッサージをおこなうことができるようにしたマッサージ機である。
図3（Ａ）に、本請求項記載の発明の腕支持部1に腕を乗せている様子の写真を示す。腕を挙上して、腕支持部1に乗せている。このときの腕の位置は、肩関節がゼロポジションになるように、腕支持部1は設計している。ゼロポジションとは、棘上筋や小円筋、棘下筋などの全ての肩関節周囲筋に負荷がかからず、リラックスした状態になっている。このため、肩関節やその周囲筋の治療に、この姿位が使用されている。
この状態でマッサージをおこなうと、全ての肩関節の関係筋肉がリラックスして無理がかからない状態で治療をおこなうので、血液等の循環にも適し、マッサージ効果も高くなり、コリや痛みに効果が高い。
腕支持部1は、肩のゼロポジションが取れれば良いので、細かな形状などは問わない。また、マッサージ機に載置するタイプにしてもよいし、マッサージ機のフレーム等を整形したマッサージ機との一体型でもよい。
【図面の簡単な説明】
【００２４】
【図１】本発明の実施例である。
【図２】請求項1記載の発明の実施例である。
【図３】（Ａ）は請求項3記載の発明の腕支持部1を使用している様子である。（Ｂ）は肩関節のゼロポジションの解剖図である。
【図４】従来の液圧マッサージ機の例である。
【図５】従来の機械的マッサージ機の例である。
【図６】マッサージ機に乗ったときのマッサージ範囲を示す図である。
【符号の説明】
【００２５】
１：腕支持部                        ２：目盛り
３：槽                              ４：フレーム
５：膜
Ｐ：施療子の最大可動域の上端部 Ｅ：施療子の最大可動域の下端部
Ｄ：施療子の最大可動域              Ｈ：使用者の身長
Ｍ、Ｍ‘：施療子の移動範囲          ｍ：マッサージをおこないたい領域
Ｐ‘、Ｑ’：局所のマッサージをおこないたい領域の境界    
２１：ノズル                        ２２：膜
２３：槽                            ２４：パイプ
２５：ポンプ
６４：ローラー
【手続補正３】
【補正対象書類名】図面
【補正対象項目名】全図
【補正方法】変更
【補正の内容】
【図１】
2009000474.tif 000001
【図２】
2009000474.tif 000002
【図３】
2009000474.tif 000003
【図４】
2009000474.tif 000004
【図５】
2009000474.tif 000005
【図６】
2009000474.tif 000006